(57)【要約】【課題】  定在波の発生をなくし、無駄な夾雑音となる不要振動を吸収して強音から弱音まで忠実に再生でき、従来製造方法による型成形では不可能だったアンダーカットを有する一体型スピーカーエンクロージャーを提供する。【解決手段】  石膏やセラミック粉末を素材として、三次元造型機により、継ぎ目のない一体的で自在な造形物を作成または複製することにより、音質特性が良く、外観的にも装飾性を伴ったスピーカーエンクロージャーを作成した。【選択図】図１
2011066866.tif 000002
【特許請求の範囲】
【請求項１】
石膏を主要素材として三次元造型機により積層製造したことを特徴とするスピーカーエンクロージャー。
【請求項２】
請求項１において、異なる複数の素材を層状に構成、または異なる素材をランダム層として含むことを特徴とするスピーカーエンクロージャー。
【請求項３】
請求項１において、石膏以外の素材としてはセラミック粉末またはカーボン粉末を主要素材としたことを特徴とするスピーカーエンクロージャー
【請求項４】
請求項１において、音源からの音を乱反射させるように凹凸形状を形成した内壁面を有することを特徴とするスピーカーエンクロージャー。
【請求項５】
請求項４において、内壁面の凹凸形状部の先端部は湾曲を形成した大小複数のフィン形凸状体であることを特徴とするスピーカーエンクロージャー。
【発明の詳細な説明】
【技術分野】
【０００１】  本発明はスピーカーのエンクロージャーを石膏素材を主体にした積層造型機による製造方法およびそのエンクロージャー構造に関する。
【背景技術】
【０００２】  従来のスピーカーエンクロージャー素材とその製法においては、エンクロージャー内部の反射音を制御するための吸音材を必要としており、しかしそれだけでは十分な吸音効果が得られていない。【０００３】  実公平１−２５０１６のスピーカーシステムにおいては図７に示すようにエンクロージャーが球形であることから、内部反射音波の大部分がスピーカエンクロージャーの中心部を通過することに着目して、ガラスウール円柱状吸音材をスピーカー背面中心部に設けて吸音効果を得るようにしている。【０００４】  特開２０００−１１５８７２におけるスピーカーキャビネット（図８）では内部のほぼ全面に成繊維製中空糸からなる多孔質吸音材を貼り付けた構造を採っている。
上記従来例のようにスピーカーの製作において、円柱状吸音材を内部中心部に取り付けたり、スピーカーキャビネットの内壁面に吸音材を貼り付けることはその分製作工程が増えることになり、さらに後者の例によれば吸音材を貼り付けるための接着剤塗布部がキャビネット内壁面のほぼ全面に渡るため、使用する接着剤としては音質特性を減衰させないための素材を選択しなければならない。
【特許文献１】実公平１−２５０１６
【特許文献２】特開２０００−１１５８７２
【発明の開示】
【発明が解決しようとする課題】
【０００５】  従来のエンクロージャーの構造および製造方法では、エンクロージャー壁面の継ぎ目による振動や壁面素材による反射音によって、音質に悪影響をおよぼすノイズが発生している。
このような点を改良するための吸音材の形状を特定したり、吸音材を設ける工程を付加する必要が生じていた。【０００６】  本発明は、エンクロージャーを微粒子状の多孔質素材を使用して積層造形することにより、スピーカーユニットサイズに合わせた、よりノイズの吸収された最適音響内部空間を効果的に最小工程により作成し、普通サイズのスピーカーに限らず、スモールサイズのスピーカーであってもフルレンジで音質の向上を図ることのできるスピーカーエンクロージャーを提供するものである。
【課題を解決するための手段】
【０００７】  コンピュータ制御による積層造型機を用いることで、従来製造方法による型成形では不可能だったアンダーカットを有する一体型エンクロージャーを成形する。
【発明の効果】
【０００８】  本発明の構成素材は微粒子状多孔質素材であること、およびスピーカーエンクロージャー内壁面に凸凹形状を形成しながら積層成形することで、音源からの発生音は、エンクロージャー内部の凹凸形状の壁面を乱反射することによって、反射音の共振が抑制される。【０００９】  さらに比重のある石膏を主要成分とする微細多孔質のエンクロージャー構成素材とすることにより、高品位の忠実音再現に重要な要素である、発生内部音波によるエンクロージャー自体の振動が抑制され  、エンクロージャーそれ自体による吸音特性のも相俟って、定在波の発生を極めて少なくすることができ、スピーカーユニットを小型化した場合であってもノイズの少ない高品位の忠実音の再生を可能とした十分なフルレンジスピーカーを実現できる。
【発明を実施するための最良の形態】
【００１０】  三次元スキャナにより取り込んだ造型モデルデータ、または三次元ＣＡＤにより作成した三次元データをインクジェット方式立体プリンタの出力データに変換し、微粒子状多孔質素材である石膏粉末とバインダとを原材料として、インクジェット方式によりスライス積層面を形成することにより、所望形状の立体造型であるスピーカーエンクロージャーを作成する。
【実施例１】
【００１１】  図１は本発明のエンクロージャー１を立方体形状として作成した完成品の斜視図で、筐体部２は継ぎ目のない一体造型体であり、筐体部２の内壁面には湾曲先端部を有するフィン形凸状体３が筐体部２と一体的に形成されている。【００１２】  製造方法としては、積層集合体であるこの立方体エンクロージャー１のスライスデータに基き、三次元造型機を用いて石膏微粒子をバインダ噴射によって凝固させながら積層することで、内壁面にフィン形凸状体３を有する立方体のエンクロージャーを作成する。必要により、外壁面には彩色を施したり、ラッカー加工しても良い。【００１３】  また、石膏以外にもセラミック粉末またはカーボン粉末を単独で用いて同様にエンクロージャーを製造してもよく、これらと併せて、吸音性や断音性の良いシラスバルーン微粒子の単一層を介在させたり、あるいは混入配合して積層造型することもできる。【００１４】  図２は本発明のエンクロージャー１の側面断面図を示し、背面壁部中央には配線用の開口部４を設けている。ここに示され筐体部２の内壁面を構成している複数のフィン形凸状体３は湾曲形状の先端部を有し、本発明の水平断面図（図３）に表されている左右側壁部と天井部および底面部のフィン形凸状体３と連続性を持って形成してもよく、また、天井部と側壁部、底面部と側壁部におけるフィン形凸状体３の山部が他方の谷部に互い違いに入り込むように形成しても良い。【００１５】  これらのフィン形凸状体３の各先端部における湾曲半径は大小の規則性を持たない内径Ｒがランダムな形状であり、フィン形凸状体３から成る内壁面の凹凸状部を形成している山部と谷部との高低差も同様にランダムに形成される。このように不規則性を持たせることにより、発生音の共振がより効果的に抑制される。【００１６】  図４は本発明エンクロージャー１の正面から見た図で、この実施例においてはフィン形凸状体３により構成されるエンクロージャー１内壁部は四辺が適当な弧を描いたほぼ四角柱の内面形状となっているが、円柱形、楕円柱形など適宜な形状を採用することもできる。【００１７】  図５はエンクロージャー１の側面から見た断面図で製作工程を示している。
エンクロージャー１のスライスデータに基き、三次元造型機を用いて石膏微粒子をバインダ噴射によって凝固させながら積層していく方法により、底面部（Ｉ）から作成し始めて、（ＩＩ）、（ＩＩＩ）、（ＩＶ）、（Ｖ）と順次積層作成して、型成形では不可能だったアンダーカットを有する一体型エンクロージャー１を完成する。
このエンクロージャー１内部に必要に応じて適宜の吸音材を入れ、前面からスピーカーを嵌め込み、開口部４を通した配線処理をしてスピーカーユニットとする。
【実施例２】
【００１８】  三次元造型機によれば複雑な外観形状と内部構造を有するものであっても自在に造型することができるので、各種形状のインテリア装飾品の製造にも適しており、スピーカーエンクロージャーとしてはスピーカーの組み込み構造と音響用内部空間形状を備えていれば自在の外観形状を採用することができる。ここでは装飾的視覚効果も備えた例としてリンゴの形をしたスピーカーエンクロージャー１ａの作成例を示す。【００１９】  図６はリンゴの外観形状から三次元スライスデータを作成し、そのスライスデータに基き、三次元造型機を用いて石膏微粒子等を積層して造型したリンゴ形状エンクロージャー１ａの中央部におけるエンクロージャー本体部分２の側面断面図であり、配線用開口部４は美的外観を損なわないように底面部に設けている。【００２０】  本発明の三次元造型機により作成するエンクロージャーは実施例２のリンゴ形状以外にも、三次元ＣＡＤによるデータ作成以外にも、具象・抽象形を問わず、三次元スキャナーで外形データを採ることができるものであれば、それにスピーカー機能を持たせた各種の置物装飾品として提供できる。
【産業上の利用可能性】
【００２１】  本発明のスピーカーエンクロージャーは石膏やセラミックなどの比重のある、さらに吸音性と断音性に富んだ素材を使用して、三次元造型機により製造するので、いかなる立体形状も作成可能であり、スピーカー再生音が微弱音量であっても、前述したように共振回避構造や吸音効果を有するので無駄な夾雑音となる不要振動を吸収して強音から弱音までストレートに素直な音を表現できる。小音量のバックグラウンド的な音源としても最適スピーカーユニットを提供できる。【００２２】  また、各種の立体物を三次元ＣＡＤでデータ作成でき、それに基いた変換スライスデータを使用して三次元造型機により立体複製ができるので、スピーカーとしての役割だけでなく、インテリア装飾小物としての効果も併せ持つことができる。
【図面の簡単な説明】
【００２３】
【図１】  本発明スピーカーエンクロージャーの斜視図である。
【図２】  本発明の側面断面図である。
【図３】  本発明の水平断面図である。
【図４】  本発明の正面図である。
【図５】  本発明のエンクロージャーの側面から見た製作工程断面図である。
【図６】  外観をリンゴ形状としたエンクロージャーの中央部側面断面図
【図７】  従来例の球形スピーカーエンクロージャの側面断面図である。
【図８】  従来例のスピーカーキャビネットの側面断面図である。
【符号の説明】
【００２４】  １    エンクロージャー
１ａ  リンゴ形状エンクロージャー
２    筐体部（エンクロージャー本体）
３    フィン形凸状体
４    配線用開口部
【図１】
2011066866.tif 000003
【図２】
2011066866.tif 000004
【図３】
2011066866.tif 000005
【図４】
2011066866.tif 000006
【図５】
2011066866.tif 000007
【図６】
2011066866.tif 000008
【図７】
2011066866.tif 000009
【図８】
2011066866.tif 000010